(57)【要約】【課題】各使用状況に合わせてアンテナを自由に取り換えることができるアンテナ付きシート取換式通信装置を提供する。【解決手段】リーダライタ３は、紙７の裏面にアンテナパターン（ループアンテナ８）を印刷したアンテナ付きシート４と、このアンテナ付きシート４を着脱可能に取り付けることが可能なシート取付ユニット５とを備える。アンテナ付きシート４の表面には、通信端末２をループアンテナ８にかざすのを誘導する印刷物（広告／宣伝）が印刷されている。アンテナ付きシート４がシート取付ユニット５に対し着脱可能であるので、例えばアンテナ位置、広告、宣伝等を変更したいときには、単にアンテナ付きシート４を取り換えるのみで対応可能である。【選択図】図１
2013015901.tif 000002
【特許請求の範囲】
【請求項１】
アンテナにおける電波の送受信の動作をコントローラにて制御し、通信端末が前記アンテナにかざされたとき、近距離無線通信によって前記通信端末と双方向により通信するアンテナ付きシート取換式通信装置において、
シート部材に前記アンテナが設けられたアンテナ付きシートと、
前記コントローラに繋がるとともに、前記アンテナ付きシートを着脱可能に電気接続するシート取付ユニットと
を備えたことを特徴とするアンテナ付きシート取換式通信装置。
【請求項２】
前記アンテナ付きシートは、前記シート部材が可撓性の部材により形成されている
ことを特徴とする請求項１に記載のアンテナ付きシート取換式通信装置。
【請求項３】
前記アンテナ付きシートには、前記アンテナへの前記通信端末のかざし操作を誘導する表示部が設けられている
ことを特徴とする請求項１又は２に記載のアンテナ付きシート取換式通信装置。
【請求項４】
前記シート取付ユニットに取り付けられた前記アンテナ付きシートを、当該シート取付ユニットに固定する固定機構を備えた
ことを特徴とする請求項１〜３のうちいずれか一項に記載のアンテナ付きシート取換式通信装置。
【請求項５】
前記アンテナ付きシートを前記シート取付ユニットに取り付けたとき、当該取り付けの位置状態で前記アンテナ付きシート及び前記シート取付ユニットの各端子を電気接続させる位置決め機構を備えた
ことを特徴とする請求項１〜４のうちいずれか一項に記載のアンテナ付きシート取換式通信装置。
【請求項６】
前記コントローラに書き込まれた前記近距離無線通信用の書込情報を別のものに変更するとき、外部記録媒体から新規の書込情報を取得し、当該新規の書込情報を基に、前記コントローラの既存の書込情報を書き換える情報書換手段を設けた
ことを特徴とする請求項１〜５のうちいずれか一項に記載のアンテナ付きシート取換式通信装置。
【発明の詳細な説明】
【技術分野】
【０００１】
本発明は、シートにアンテナが設けられたアンテナ付きシートを取り換え可能なアンテナ付きシート取換式通信装置に関する。
【背景技術】
【０００２】
従来、二者が無線により通信する通信システムとして、例えば近距離無線（通信距離：約10数cm）により双方向通信する近距離無線通信システムが普及してきている（特許文献１等参照）。近距離無線通信システムでは、リーダライタから送信された電波を通信端末が受信すると、通信端末が起動してリーダライタに電波を返信することで、双方向で通信が行われる。近距離無線通信システムには、例えばRFID（Radio Frequency Identification）やNFC（Near Field Communication）が使用されている。
【先行技術文献】
【特許文献】
【０００３】
【特許文献１】特開２０１０−００９１６１号公報
【発明の概要】
【発明が解決しようとする課題】
【０００４】
しかし、この種のリーダライタは、１つのシステムにおいて機種の形状／構造が１つに統一されてしまっているので、例えばリーダライタの一部分（例えば、通信端末をかざすアンテナ部分）の形状／構造を変更しようとした場合には、市販先に問い合せて、特別注文で別仕様のリーダライタを最初から製造する必要があった。このため、リーダライタの汎用性に乏しく、顧客のニーズに対して迅速かつ低コストに形状／構造を変更可能なリーダライタの開発要望があった。
【０００５】
本発明の目的は、各使用状況に合わせてアンテナ付きシートを自由に取り換え可能とすることで、部品交換を容易に行うことができるアンテナ付きシート取換式通信装置を提供することにある。
【課題を解決するための手段】
【０００６】
前記問題点を解決するために、本発明では、アンテナにおける電波の送受信の動作をコントローラにて制御し、通信端末が前記アンテナにかざされたとき、近距離無線通信によって前記通信端末と双方向により通信するアンテナ付きシート取換式通信装置において、シート部材に前記アンテナが設けられたアンテナ付きシートと、前記コントローラに繋がるとともに、前記アンテナ付きシートを着脱可能に電気接続するシート取付ユニットとを備えたことを要旨とする。
【０００７】
本発明の構成によれば、近距離無線通信の通信マスタ側のアンテナを、シート部材にアンテナを設けることにより形成したアンテナ付きシートとし、このアンテナ付きシートを本体側から分割し、このアンテナ付きシートを本体側のシート取付ユニットに着脱可能とした。このため、アンテナ付きシートを単に交換するという簡素な作業にて、通信マスタ側のアンテナを自由に取り換えることが可能となる。
【０００８】
本発明では、前記アンテナ付きシートは、前記シート部材が可撓性の部材により形成されていることを要旨とする。この構成によれば、アンテナ付きシートが自在に撓むことが可能となるので、仮に人体がアンテナ付きシートに触れても、シートが撓むことで衝撃を逃がすことが可能となる。
【０００９】
本発明では、前記アンテナ付きシートには、前記アンテナへの前記通信端末のかざし操作を誘導する表示部が設けられていることを要旨とする。この構成によれば、アンテナ付きシートに設けられた表示部によってアンテナへの通信端末のかざしを誘導して、通信端末とアンテナとの間の近距離無線通信を実行させるアンテナ付きシートとして使用可能となる。そして、この表示部が設けられたアンテナ付きシートを、他のデザインのものに自由に取り換えることが可能となる。
【００１０】
本発明では、前記シート取付ユニットに取り付けられた前記アンテナ付きシートを、当該シート取付ユニットに固定する固定機構を備えたことを要旨とする。この構成によれば、アンテナ付きシートをシート取付ユニットに取り付けたとき、固定機構によってアンテナ付きシートをシート取付ユニットに強く保持することが可能となるので、アンテナ付きシートの脱落を生じ難くすることが可能となる。
【００１１】
本発明では、前記アンテナ付きシートを前記シート取付ユニットに取り付けたとき、当該取り付けの位置状態で前記アンテナ付きシート及び前記シート取付ユニットの各端子を電気接続させる位置決め機構を備えたことを要旨とする。この構成によれば、アンテナ付きシートをシート取付ユニットに取り付けると、取り付けた時点でアンテナ付きシート及びシート取付ユニットの各端子が電気接続する状態となる。よって、アンテナ付きシートの位置合わせの作業が必要ないので、シート取り付け作業を簡素化することが可能となる。
【００１２】
本発明では、前記コントローラに書き込まれた前記近距離無線通信用の書込情報を別のものに変更するとき、外部記録媒体から新規の書込情報を取得し、当該新規の書込情報を基に、前記コントローラの既存の書込情報を書き換える情報書換手段を設けたことを要旨とする。この構成によれば、コントローラの書込情報を自由に変更することが可能となるので、書込情報を他の情報に書き換えたい状況が生じても、これに対応することが可能となる。
【発明の効果】
【００１３】
本発明によれば、各使用状況に合わせてアンテナ付きシートを自由に取り換え可能とすることにより、部品交換を容易に行うことができる。
【図面の簡単な説明】
【００１４】
【図１】第１実施形態のリーダライタの斜視図。
【図２】（ａ）はアンテナ付きシートを正面側から見た斜視図、（ｂ）はアンテナ付きシートを裏面側から見た斜視図、（ｃ）はアンテナ付きシートを裏面正面から見た図。
【図３】図２（ｂ）のII−II線断面図。
【図４】（ａ）〜（ｃ）はアンテナ付きシートをシート取付ユニットに取り付ける際の手順図。
【図５】リーダライタのブロック図。
【図６】（ａ），（ｂ）はアンテナ付きシートを他シートに取り換えるときの手順図。
【図７】第２実施形態のリーダライタの斜視図。
【図８】（ａ）〜（ｃ）はアンテナ付きシートをシート取付ユニットに取り付ける際の手順図。
【図９】第３実施形態のリーダライタの正面図。
【図１０】シート取付ユニットの断面図。
【図１１】第４実施形態のリーダライタの正面図。
【図１２】（ａ）は図１１のIII−III線断面図、（ｂ）は図１１のIV−IV線断面図。
【図１３】（ａ）〜（ｊ）は別例のアンテナの模式図。
【図１４】（ａ），（ｂ）は他の別例のアンテナ端子部分の模式図。
【図１５】（ａ），（ｂ）は他の別例のアンテナの模式図。
【図１６】他の別例のクリップ式シート取付ユニットの模式図。
【図１７】他の別例の額縁式シート取付ユニットの模式図。
【図１８】（ａ）〜（ｃ）は他の別例のアンテナ付きシートの斜視図。
【図１９】他の別例のクリップ式シート取付ユニットの模式図。
【図２０】他の別例の説明図であって、（ａ）が概略構成図、（ｂ）が断面図。
【発明を実施するための形態】
【００１５】
（第１実施形態）
以下、本発明を具体化したアンテナ付きシート取換式通信装置の第１実施形態を図１〜図６に従って説明する。
【００１６】
図１に示すように、二者が近距離無線通信（通信距離：約10数cm）にて双方向通信を行う通信システム１には、ユーザが携帯する通信端末２と、通信システム１の通信マスタとなるリーダライタ３とが設けられている。近距離無線通信では、通信端末２をリーダライタ３にかざす操作をユーザに課して、極近傍距離で無線通信する。本例の近距離無線通信には、例えばRFIDやNFCが使用されている。また、通信端末２には、例えば携帯電話が使用されている。なお、リーダライタ３がアンテナ付きシート取換式通信装置に相当する。
【００１７】
リーダライタ３には、可撓性を有するシート状をなすとともに電波を送受信可能なアンテナ付きシート４と、アンテナ付きシート４が着脱可能に取り付けられるシート取付ユニット５とが設けられている。シート取付ユニット５は、アンテナ付きシート４のアンテナ線の電気接続箇所にもなる。シート取付ユニット５には、アンテナ付きシート４が自由に取り外し可能となっているので、様々な種類のアンテナ付きシート４に取り換え可能である。
【００１８】
アンテナ付きシート４の表面には、例えば飲食店や企業の広告や宣伝等の印刷物６が印刷されている。印刷物６の内容としては、例えば通信端末２をアンテナ付きシート４にかざせば、飲食店や企業のURLデータ（ホームページアドレス等）が自動登録されたり、飲食店での飲食代を割り引いたり、各種ポイントを付与したりするなどの表示がある。よって、本例のアンテナ付きシートは、広告／宣伝用のアンテナ付きシートでもある。なお、印刷物６が表示部に相当する。
【００１９】
リーダライタ３は、シート取付ユニット５を電車の天井に取り付け、このシート取付ユニット５に広告用や宣伝用のアンテナ付きシート４を取着することにより、電車の中吊り広告等に使用されている。そして、リーダライタ３は、電車内の乗客が所持する通信端末２がかざされると、その通信端末２と近距離無線通信し、通信端末２に飲食店の値引きや各種ポイントを提供する。
【００２０】
図１、図２（ｂ）及び図３に示すように、アンテナ付きシート４の裏面には、アンテナ付きシート４の基材となるシート状の紙（台紙）７に、例えば導電性粉末をアンテナパターン形状に沿って印刷することにより、例えばループ状（環状）のアンテナ８が形成されている。図２（ｂ）及び図２（ｃ）に示すように、本例のループアンテナ８は、真円をなすとともに、紙７の略中央位置に配置されている。ループアンテナ８は、通信端末２のかざし箇所となる円環状のループ部９と、ループ部９から延びる一対の脚部１０，１０とが形成されている。ループアンテナ８は、一対の脚部１０，１０の開放端がそれぞれアンテナ端子１１，１１となる。なお、紙７がシート部材に相当する。
【００２１】
本例の場合、ループ部９の始点と終点とをループ端９ａ，９ａとした場合、これらループ端９ａ，９ａの間の間隔（図１に示すＬ）は、ループ端９ａ，９ａ同士を極力近づけることにより、できるだけ小さくした方が好ましい。これは、間隔Ｌを小さくすること、つまりループ端９ａ，９ａを絞ってループ部９をより環状にすることが、ループアンテナ８の利得確保に効果が高いからである。アンテナ端子１１，１１は、後述の接続端子２０，２０との接触面積を確保するために、他の部分に比べて幅を広げた形状に形成されている。脚部１０，１０の長さは、アンテナ利得を確保するために、なるべく短くするのが好ましい。
【００２２】
図４（ａ）〜（ｃ）に示すように、シート取付ユニット５は、アンテナ付きシート４の１辺（上辺）の端を両側から挟み込んで保持するクリップ式（以下、５ａと記す）をとる。この場合、クリップ式のシート取付ユニット５ａには、支え側となる板状の固定部１２が設けられている。固定部１２には、固定部１２と向き合う板状の可動部１３が、シート取付ユニット５ａの幅方向（図１のＹ軸方向）に沿って延びる軸部１４回りに回動可能に枢支されている。また、可動部１３の上辺一帯には、可動部１３を開き方向（図４（ｂ）の矢印Ａ１方向）に回す際に押す押し片１５が曲げ形成されている。
【００２３】
クリップ式のシート取付ユニット５ａには、固定部１２及び可動部１３で挟み込んだアンテナ付きシート４を取り付け状態において固定する固定機構１６が設けられている。この場合、固定部１２と可動部１３との間には、可動部１３を固定部１２側に常時付勢する付勢部材１７が介装されている。付勢部材１７には、例えばトーションばねが使用されている。また、可動部１３の下端一帯には、アンテナ付きシート４を上から押さえ付ける押当部１８が折り曲げ形成されている。
【００２４】
シート取付ユニット５ａは、図４（ａ）に示すアンテナ付きシート４を挟んでいない状態と、図４（ｂ）に示す可動部１４が押し片１５により押されて回動した状態と、図４（ｃ）に示すアンテナ付きシート４を固定部１２と可動部１３とで挟み込んだ状態とをとる。図４（ｃ）に示すように、固定機構１６は、固定部１２と可動部１３との間に挟み込んだアンテナ付きシート４を、付勢部材１７の付勢力にて閉じる可動部１３の押当部１８によって固定部１２に強く押し付けることにより、シート取付ユニット５ａに固定する。
【００２５】
図１及び図４に示すように、シート取付ユニット５ａの固定部１２には、アンテナ付きシート４の電気接続箇所として、シート取付ユニット５ａのコネクタ１９が設けられている。コネクタ１９には、アンテナ端子１１，１１が接続されるモーメンタリ式の一対の接続端子２０，２０が設けられている。また、コネクタ１９は、固定部１２に凹設されたコネクタ収納部２１に嵌め込み取り付けされている。このため、コネクタ１９は、接続端子２０，２０が外側に飛び出した状態で、固定部１２と略面一となっている。可動部１３の裏面には、取り付け状態のアンテナ付きシート４のアンテナ端子１１，１１を、接続端子２０，２０に押し付ける突部１３ａが突設されている。
【００２６】
図１に示すように、コネクタ１９（接続端子２０，２０）は、ケーブル２２を介してコントローラ２３に接続されている。コントローラ２３は、ループアンテナ８における電波の送受信を制御するものである。コントローラ２３は、ループアンテナ８から通信端末２の近距離無線機能を起動させる電波（起動電波Ｓａ）を断続的に送信させるとともに、起動電波Ｓａで起動した通信端末２が送信してくる送信電波Ｓｂをループアンテナ８で受信する。コントローラ２３は、ループアンテナ８における電波の送受信を同時実行可能である。
【００２７】
図５に示すように、コントローラ２３には、コントローラ２３の動作を統括制御する制御部２４と、コントローラ２３の電源２５とが設けられている。制御部２４は、例えばＣＰＵ（Central Processing Unit）２６やメモリ２７等により構築されている。制御部２４のメモリ２７には、近距離無線の通信態様を決めるアプリケーション２８や、近距離無線にて通信端末２に提供する通信データ２９などが登録されている。通信データ２９には、例えば飲食店や企業のURLデータ、飲食代の値引きデータ、提供するポイント数データなどがある。なお、制御部２４が情報書込手段に相当し、アプリケーション２８や通信データ２９が書込情報を構成する。
【００２８】
コントローラ２３には、共振用のコンデンサ３０が設けられ、このコンデンサ３０の一端がケーブル２２を介してループアンテナ８に接続され、他端が通信回路３１を介して制御部２４に接続されている。リーダライタ３は、ループアンテナ８をインダクタンスとし、このインダクタンスとコンデンサ３０とで共振回路を形成する。コンデンサ３０は、例えばコントローラ２３内の基板（図示略）に実装されている。通信回路３１には、例えば変調回路、復調回路、整流回路、増幅回路、定電圧回路などが設けられている。
【００２９】
コントローラ２３には、例えばＵＳＢ（Universal Serial Bus）メモリやメモリカード等の外部記録媒体３２を接続可能な外部記録媒体接続口３３が設けられている。メモリ２７内の既存の通信データ２９ａ（アプリケーション２８も可）を書き換える場合、新規の通信データ２９ｂを書き込んだ外部記録媒体３２を外部記録媒体接続口３３に接続し、外部記録媒体３２内の新規の通信データ２９ｂを制御部２４に入力することにより、メモリ２７内の通信データ２９ａを新規データに上書きする。
【００３０】
次に、本例のリーダライタ３の使用や動作について、図４及び図６を用いて説明する。
図４（ａ）に示すように、シート取付ユニット５ａにアンテナ付きシート４が取り付けられていないとき、可動部１３が閉じ状態をとる。このとき、コネクタ１９の接続端子２０，２０は、外側に最大量飛び出した状態をとる。
【００３１】
そして、シート取付ユニット５ａにアンテナ付きシート４を取り付ける場合、図４（ｂ）に示すように、閉じ状態にある可動部１３の押し片１５を指等で押して、可動部１３を開き方向（図４（ｂ）の矢印Ａ１方向）に回動させる。そして、この状態で、固定部１２及び可動部１３の間にアンテナ付きシート４を下から挿し込む。このとき、アンテナ端子１１，１１と接続端子２０，２０とが重なり合うように、アンテナ付きシート４を位置調整する。
【００３２】
続いて、可動部１３及び固定部１２の間にアンテナ付きシート４を挿し込んだ後、図４（ｃ）に示すように、押し片１５から指を離すと、付勢部材１７の付勢力により可動部１３が閉じ方向（図４（ｃ）の矢印Ａ２方向）に回り、可動部１３が閉じ状態をとる。このとき、突部１３ａがアンテナ端子１１，１１をコネクタ１９の接続端子２０，２０に強く押し付けるとともに、可動部１３の押当部１８がアンテナ付きシート４を固定部１２に強く押し付けることにより、アンテナ付きシート４をシート取付ユニット５ａに固定する。また、可動部１３が閉じたとき、接続端子２０，２０はアンテナ端子１１，１１により上から押され、所定量沈んだ状態をとる。
【００３３】
電車内の乗客は、アンテナ付きシート４の表面の広告や宣伝に興味を持つと、自身の通信端末２をアンテナ付きシート４にかざす操作をとる。このとき、通信端末２をループアンテナ８の中央にかざすと、通信が最も成立し易い。そして、通信端末２とリーダライタ３との間で近距離無線通信が確立すると、リーダライタ３から通信端末２に各種情報やポイントが提供される。
【００３４】
また、広告や宣伝の変更によりアンテナ付きシート４を取り換えたいとき、図６（ａ）に示すように、可動部１３の押し片１５を押して可動部１３を開き状態にし、取り付け状態にあったアンテナ付きシート４ａを抜き取る。そして、図６（ｂ）に示すように、シート取付ユニット５ａに新たなアンテナ付きシート４ｂを取り付け、広告や宣伝を取り換える。これにより、シート取付ユニット５ａは共通のまま、アンテナ付きシート４を取り換えるだけで、広告や宣伝の変更が可能となる。
【００３５】
以上により、本例においては、印刷物６が印刷されたアンテナ付きシート４を、シート取付ユニット５に対して着脱可能にした。このため、ループアンテナ８の位置や形状を変更したいとき、つまり電車内の中吊りの広告や宣伝を変更したいときには、単にアンテナ付きシート４を別のものに取り換えることで対応することが可能となる。よって、その時々の状況に合わせて、リーダライタ３のアンテナ部分やデザインを簡単に他のものに取り換えることが可能となる。
【００３６】
本実施形態の構成によれば、以下に記載の効果を得ることができる。
（１）リーダライタ３のアンテナを、紙７にアンテナパターンを印刷することにより形成したアンテナ付きシート４とし、このアンテナ付きシート４を本体側から分割して、アンテナ付きシート４をシート取付ユニット５の着脱可能とした。このため、アンテナ付きシート４を単に交換するという簡素な作業にて、リーダライタ３のアンテナやデザインを自由に取り換えることができる。
【００３７】
（２）アンテナ付きシート４の表面に印刷物６を印刷するので、アンテナ付きシート４を飲食店や企業の広告や宣伝として使用することができる。また、アンテナ付きシート４の印刷物６として、アンテナ付きシート４に通信端末２をかざせばサービスが受けられることが印刷されていれば、ユーザ（消費者）は通信端末２をアンテナ付きシート４にかざして各種情報を取得することもできる。よって、飲食店や企業にとっては認知のきっかけになり、一方でユーザにとっては通信端末２でサービスが受けられるので、双方にとって利益のあるビジネスモデルを提供することができる。
【００３８】
（３）アンテナ付きシート４に広告や宣伝等の印刷物６が印刷されている場合、アンテナ付きシート４を単に交換するだけで、広告や宣伝を他のデザイン（内容）に変更することができる。
【００３９】
（４）シート取付ユニット５に、アンテナ付きシート４をシート取付ユニット５に固定する固定機構１６を設けた。このため、アンテナ付きシート４をシート取付ユニット５に取り付けたとき、固定機構１６によってアンテナ付きシート４をシート取付ユニット５に強く保持することが可能となるので、アンテナ付きシート４の脱落を生じ難くすることができる。
【００４０】
（５）新規の通信データ２９ｂが書き込まれた外部記録媒体３２を外部記録媒体接続口３３に挿し込めば、コントローラ２３に書き込まれた既存の通信データ２９ａ（アプリケーション２８も可）が新規の通信データ２９ｂに上書きされる。よって、コントローラ２３内の既存の通信データ２９ａを自由に変更することが可能となるので、通信データ２９ａを書き換えたい（更新したい）状況が生じても、これに対応することができる。
【００４１】
（６）無線通信に近距離無線通信を用いたので、ループアンテナ８に通信端末２を単にかざすだけで、通信端末２が各種情報を取得可能である。ところで、携帯電話で情報取得する方式としては、例えばカメラでＱＲコードを撮影して得る方式が知られているが、この方式の場合は、携帯電話を起動させてカメラ撮影する作業が必要となるので、非常に面倒に感じる。特に、混み合った電車内で中吊り広告のＱＲコードをカメラ撮影するのは、ユーザにとって酷である。しかし、本例の場合は、通信端末２をループアンテナ８に近づけるだけで情報取得できるので、取得作業が容易という観点から非常に効果が高い。
【００４２】
（７）アンテナ付きシート４は紙７から製造されるので、製造コストが安価で済む。
（８）アンテナ付きシート４は紙７に導電性粉末を印刷することで製造されるので、例えば工場等にて大量生産することができる。
【００４３】
（９）アンテナ付きシート４の基材を紙７としたので、アンテナ付きシート４が可撓性を持つ部材となる。よって、仮に人体がアンテナ付きシート４に触れても、アンテナ付きシート４が撓むことにより、衝撃を人体から逃がすことができる。
【００４４】
（１０）アンテナ端子１１，１１を幅広に形成したので、アンテナ付きシート４をシート取付ユニット５に取り付けるとき、アンテナ付きシート４が幅方向で多少ずれても、アンテナ端子１１，１１と接続端子２０，２０との接続が確保される。よって、シート取り付けに際し、細かな位置合わせを作業者に課さずに済むので、その点で利便性が高いと言える。
【００４５】
（１１）ループ端９ａ，９ａ間の間隔Ｌを極力小さくしたので、ループ部９の形状を、より環状に近づけることができる。よって、ループアンテナ８の利得を確保することができる。
【００４６】
（第２実施形態）
次に、第２実施形態を図７及び図８に従って説明する。なお、第２実施形態は、シート取付ユニット５の構造を変更した実施例であって、他の基本的な構成は、第１実施形態と同じである。よって、第１実施形態と同一部分には同一符号を付して詳しい説明を省略し、異なる部分についてのみ詳述する。
【００４７】
図７に示すように、本例のシート取付ユニット５は、額部材の中にアンテナ付きシート４全体を収める額縁式（以下、５ｂと記す）をとっている。この場合、シート取付ユニット５ｂには、本体側となる略四角状の固定フレーム４０が設けられている。固定フレーム４０には、例えば横開き式の扉部４１が一対のヒンジ部４２，４２を支点として開閉可能に取りけられている。扉部４１は、閉じ状態のとき、固定フレーム４０に施錠可能である。
【００４８】
図７及び図８（ａ），（ｂ）に示すように、固定フレーム４０の周縁一帯には、一段高くなった枠部４３が４辺に亘り形成されている。このため、固定フレーム４０には、４辺の枠部４３に囲まれる一段下がった領域が、アンテナ付きシート４のシート収納部４４として形成されている。シート収納部４４は、アンテナ付きシート４及び扉部４１の両方を収納可能な深さ及び面積に形成されている。
【００４９】
扉部４１の周縁一帯には、扉部４１の略四角状の枠部４５が４辺に亘り設けられている。枠部４５には、シート収納部４４内のアンテナ付きシート４の宣伝や広告が外から見えるようにする透明の窓部４６が取り付けられている。窓部４６は、例えば透明樹脂やガラスが使用され、薄い板状に形成されている。
【００５０】
固定フレーム４０の内壁面には、高さ方向（図７のＺ軸方向）の下端寄りの位置にコネクタ収納部２１が形成されている。よって、本例のコネクタ１９は、固定フレーム４０の内壁面において下端寄りの位置に埋め込まれた取り付け状態をとる。コネクタ１９をコネクタ収納部２１に取り付けたとき、固定フレーム４０の壁面とコネクタ１９の外面とが略面一をとるとともに、コネクタ１９の接続端子２０，２０が周囲に対し外側に飛び出した状態をとる。
【００５１】
図８（ｃ）に示すように、固定フレーム４０にアンテナ付きシート４を収納して扉部４１を閉じたとき、扉部４１の枠部４５及び窓部４６によってアンテナ付きシート４が固定フレーム４０に押し付けられる。また、このとき、窓部４６がアンテナ端子１１，１１をコネクタ１９の接続端子２０，２０に強く押し付ける。
【００５２】
また、本例のシート取付ユニット５には、アンテナ付きシート４をシート収納部４４にセットしたとき、その位置状態でループアンテナ８のアンテナ端子１１，１１とコネクタ１９の接続端子２０，２０とが接触する位置決め機構４７が設けられている。本例の位置決め機構４７は、アンテナ付きシート４を位置決めする深さ及び面積のシート収納部４４と、シートセット状態において互いに対向する位置に配置されたアンテナ端子１１，１１及び接続端子２０，２０とから構成される。
【００５３】
さて、額縁式のシート取付ユニット５ｂにアンテナ付きシート４を取り付ける場合、図８（ａ）に示すように、扉部４１を開き方向（図８（ａ）の矢印Ｂ１方向）に操作して、開き状態する。続いて、図８（ｂ）に示すように、固定フレーム４０のシート収納部４４にアンテナ付きシート４を縦向きにセットする。そして、図８（ｃ）に示すように、扉部４１を閉じ方向（図８（ｂ）の矢印Ｂ２方向）に操作して、扉部４１を閉じ状態にする。
【００５４】
本例の場合、図８（ｂ）に示すように、固定フレーム４０のシート収納部４４にアンテナ付きシート４をセットしたとき、その位置決め状態の時点で、アンテナ付きシート４のアンテナ端子１１，１１がコネクタ１９の接続端子２０，２０に接触する。つまり、アンテナ付きシート４をシート収納部４４にセットした時点で、アンテナ端子１１，１１が接続端子２０，２０に当接する。そして、図８（ｃ）に示すように、扉部４１を閉めると、窓部４６にてアンテナ端子１１，１１が接続端子２０，２０に押さえ付けられ、端子間の接続が確保される。
【００５５】
本実施形態の構成によれば、第１実施形態に記載の（１）〜（１１）に加え、以下の効果を得ることができる。
（１２）シート取付ユニット５が額縁式でも、アンテナ付きシート４を自由に取り換えることができる。
【００５６】
（１３）アンテナ付きシート４をシート取付ユニット５にセットしたとき、位置決め機構４７により、そのセット時点でアンテナ端子１１，１１と接続端子２０，２０とが接触する状態となる。このため、アンテナ付きシート４の位置調整が不要となるので、簡単な作業でアンテナ付きシート４をシート取付ユニット５にセットすることができる。
【００５７】
（第３実施形態）
次に、第３実施形態を図９及び図１０に従って説明する。なお、第３実施形態も、第１及び第２実施形態と異なる部分についてのみ説明する。第３実施形態の思想は、第１実施形態及び第２実施形態の両方に適用可能であるが、一例として第１実施形態の構成を前提とした具体例を詳述する。
【００５８】
図９及び図１０に示すように、アンテナ付きシート４の裏面には、略コ字形状を呈するアンテナパターン９ｂが印刷されている。アンテナパターン９ｂは、自身単体のみではループをなさず、単体で通信することは不可となっている。アンテナパターン９ｂは、紙面略全体を使って設けられ、アンテナ付きシート４の３辺（図９の紙面右辺、左辺、下辺）に沿う形状にて形成されている。なお、アンテナパターン９ｂが紙面上のアンテナを構成する。
【００５９】
シート取付ユニット５ａの固定部１２には、コネクタ１９が高さ方向（図９のＺ軸方向）に並んで一対設けられている。本例の場合、高さ方向上側を第１コネクタ１９ａとし、高さ方向下側を第２コネクタ１９ｂとする。第１コネクタ１９ａには、接続端子２０ａが幅方向（図９のＹ軸方向）に沿って複数等間隔に配置されている。これら接続端子２０ａは、第１コネクタ１９ａ内を延びる配線４８ａにて電気接続され、配線４８ａの略中央位置から延びる引き出し線がコントローラ２３に接続されている。
【００６０】
また、第２コネクタ１９ｂにも、複数の接続端子２０ｂが幅方向に沿って等間隔に配置されている。接続端子２０ｂは、第２コネクタ１９ｂ内を延びる配線４８ｂにて電気接続されるとともに、配線４８ｂの略中央位置が引き出されて、コントローラ２３に接続されている。第１コネクタ１９ａの接続端子２０ａと、第２コネクタ１９ｂの接続端子２０ｂとは、幅方向において互い違いに配置されている。配線４８ａ，４８ｂは、アンテナ付きシート４の裏面のアンテナパターン９ｂと協同して、１つのアンテナループ（ループ部９）を形成する。
【００６１】
さて、アンテナ付きシート４をシート取付ユニット５ａにセットするとき、アンテナパターン９ｂの一方の開放端９baを、第１コネクタ１９ａの所定の接続端子２０ａに当接させ、アンテナパターン９ｂの他方の開放端９bbを、第２コネクタ１９ｂの所定の接続端子２０ｂに当接させる。図９の場合は、開放端９baを第１コネクタ１９ａの紙面右端の接続端子２０ａに当接させ、開放端９bbを第２コネクタ１９ｂの紙面左端の接続端子２０ｂに当接させる。
【００６２】
これにより、本例の場合、アンテナ付きシート４のアンテナパターン９ｂと、第１コネクタ１９ａにおける配線４８ａの距離Ｌａの部分と、第２コネクタ１９ｂにおける配線４８ｂの距離Ｌｂ部分とにより、１つのループ部９、つまりループアンテナ８が形成される。よって、リーダライタ３がループアンテナ８を持つことになり、通信端末２との近距離無線通信が可能となる。
【００６３】
また、シート取付ユニット５ａのアンテナ付きシート４を別のものに交換するとき、場合によっては別形状のアンテナパターン９ｂを有するアンテナ付きシート４を取り付けることもある。この場合、各コネクタ１９ａ，１９ｂの複数の接続端子２０ａ，２０ｂのうち、別形状のアンテナパターン９ｂの開放端９ba，９bbと位置が合う接続端子２０ａ，２０ｂに各開放端９ba，９bbを当接させる。これにより、別形状のアンテナパターン９ｂを有するアンテナ付きシート４に変更する場合であっても、配線４８ａ，４８ｂと共同して、ループアンテナ８を形成することが可能となる。
【００６４】
本実施形態の構成によれば、第１実施形態に記載の（１）〜（１３）に加え、以下の効果を得ることができる。
（１４）アンテナ付きシート４のアンテナパターン９ｂとコネクタ１９ａ，１９ｂの配線４８ａ，４８ｂとの協同により、１つのアンテナループを形成するので、アンテナ付きシート４には、必ずしもループアンテナ８を設ける必要がなくなる。よって、アンテナ付きシート４の形状やデザイン等の自由度を向上することができる。
【００６５】
（第４実施形態）
次に、第４実施形態を図１１及び図１２に従って説明する。なお、第４実施形態も、第１〜第３実施形態と異なる部分についてのみ説明する。第４実施形態の技術思想は、第１実施形態及び第２実施形態の両方に適用可能であるが、一例として第１実施形態の構成を前提とした具体例を詳述する。
【００６６】
図１１及び図１２に示すように、アンテナ付きシート４の表面には、略コ字形状を呈するアンテナパターン９ｃが印刷されている。本例のアンテナパターン９ｃは、第３実施形態においてアンテナ付きシート４の裏面に設けたものを、アンテナ付きシート４の表面に設けたものである。また、アンテナ付きシート４の上端中央には、コネクタ１９の接続端子２０，２０を避けるように切り込みを入れることで切欠部７ｂが形成されている。なお、アンテナパターン９ｃが紙面上のアンテナを構成する。
【００６７】
シート取付ユニット５ａの可動部１３において突部１３ａには、シート取付ユニット５ａの幅方向（図１１のＹ軸方向）に沿って延びる一対の電気配線部４９ａ，４９ｂが設けられている。電気配線部４９ａ，４９ｂは、例えば金属薄膜が使用されるとともに、シート取付ユニット５ａの幅方向に沿って同一軸上に配置されている。本例の場合、図１１の紙面左側を第１電気配線部４９ａとし、紙面右側を第２電気配線部４９ｂとする。
【００６８】
第１電気配線部４９ａは、一端がコネクタ１９の一方の接続端子２０まで延び、他方がシート取付ユニット５ａの端（図１１の紙面左端）まで延びている。また、第２電気配線部４９ｂは、一端がコネクタ１９の他方の接続端子２０まで延び、他方がシート取付ユニット５ａの端（図１１の紙面右端）まで延びている。第１電気配線部４９ａ及び第２電気配線部４９ｂは、アンテナ付きシート４の表面のアンテナパターン９ｃと協同して、１つのアンテナループ（ループ部８）を形成する。
【００６９】
さて、アンテナ付きシート４をシート取付ユニット５ａにセットするとき、アンテナパターン９ｃの一方の開放端９caを第１電気配線部４９ａに当接させ、アンテナパターン９ｃの他方の開放端９cbを第２電気配線部４９ｂに当接させる。これにより、アンテナ付きシート４のアンテナパターン９ｃと、第１電気配線部４９ａにおける距離Ｌｃの部分と、第２電気配線部４９ｂの距離Ｌｄの部分とにより、１つのループ部９、つまりループアンテナ８が形成される。よって、リーダライタ３がループアンテナ８を持つことになり、通信端末２との近距離無線通信が可能となる。
【００７０】
また、シート取付ユニット５ａのアンテナ付きシート４を、別形状のアンテナパターン９ｃを有するアンテナ付きシート４に交換することもある。本例の場合、第１電気配線部４９ａ及び第２電気配線部４９ｂは、可動部１３の幅方向略全域に亘り設けられているので、アンテナ付きシート４をシート取付ユニット５ａにセットしたときは、その時点でアンテナパターン９ｃが各電気配線部４９ａ，４９ｂと当接した状態、つまり１つのループアンテナ８が形成された状態となる。このため、シート取り付けに際し、細かな位置合わせが不要となるので、この点で利便性がよい。
【００７１】
本実施形態の構成によれば、第１実施形態に記載の（１）〜（１４）に加え、以下の効果を得ることができる。
（１５）アンテナパターン９ｃの電気接続箇所である第１電気配線部４９ａ及び第２電気配線部４９ｂが、シート取付ユニット５ａの幅方向全体に延設されているので、アンテナ付きシート４をシート取付ユニット５ａにセットするとき、アンテナ付きシート４の細かな位置決めが不要になる。よって、アンテナ付きシート４をシート取付ユニット５ａにセットするときの利便性をよくすることができる。
【００７２】
なお、実施形態はこれまでに述べた構成に限らず、以下の態様に変更してもよい。
・各実施形態において、ループアンテナ８のループ部９は、真円に限らず、図１３（ａ）に示す楕円形状でもよいし、図１３（ｂ）に示す長方形状（四角形状）でもよい。また、図示はしないが、ループアンテナ８のループ部９は、三角形状や星形状を採用してもよい。
【００７３】
・各実施形態において、ループアンテナ８の脚部１０は、図１３（ｃ）に示すように、１辺において端寄りの位置にオフセット配置されてもよい。
・各実施形態において、ループアンテナ８のアンテナ端子１１，１１は、図１３（ｄ）に示すように、他の部位と同じ幅を有するものでもよい。
【００７４】
・各実施形態において、ループアンテナ８は、図１３（ｅ）に示すように、アンテナ線を略楕円状に巻き、残りを直線状に引き出した形状でもよい。また、ループアンテナ８は、図１３（ｆ）に示すように、脚部１０がない形状でもよい。さらに、ループアンテナ８は、図１３（ｇ）に示すように、脚部１０がない形状で、端子部分が角に位置する形状でもよい。
【００７５】
・各実施形態において、ループアンテナ８は、図１３（ｈ）に示すように、真円のアンテナ線の側部から脚部１０が引き出された形状でもよい。ループアンテナ８は、図１３（ｉ）に示すように、真四角の形状をなし、角に端子部分が位置する形状でもよい。ループアンテナ８は、図１３（ｊ）に示すように、四角形状をなすとともに、脚部１０のない形状でもよい。
【００７６】
・各実施形態において、図１４に示すように、ループアンテナ８の端子部分が角に位置する場合、図１４（ａ）に示すように、始点と終点の各アンテナ線が各々直線状をとるものでもよい。また、図１４（ｂ）に示すように、一方が折れ曲がる形状を有するものでもよい。
【００７７】
・各実施形態において、ループアンテナ８は、１重のループに限定されない。例えば、図１５（ａ）に示すように、１本のアンテナ線を複数回巻き付ける複数ループとしてもよい。なお、図１５（ａ）の例では、ループを四角形状とし、かつアンテナ端子１１，１１をループ１辺の端に配置している。また、ループ途中においてアンテナ端子１１，１１と対応する位置に凹部５１を設け、この凹部５１にアンテナ端子１１，１１の一方を引き出すことにより、アンテナ端子１１，１１の面積が確保されている。さらに、複数巻きのループは、四角形状に限らず、円形に変えてもよい。
【００７８】
・各実施形態において、ループアンテナ８のループを複数巻きにする場合、図１５（ｂ）に示すように、アンテナ端子１１，１１は、ループ１辺の途中位置（略中央位置）に配置されてもよい。
【００７９】
・第１実施形態において、図１６に示すように、アンテナ８はアンテナ付きシート４の表面に配置されてもよい。この場合、例えば可動部１３を金属製の板ばねとすることで接続コネクタ１９とすることで対応してもよい。
【００８０】
・第２実施形態において、アンテナ８がアンテナ付きシート４の表面に配置される場合、図１７に示すように、接続コネクタ１９が扉部４１に配置されてもよい。
・各実施形態において、アンテナ８がアンテナ付きシート４の表面に配置される場合、図１８（ａ）に示すように、紙７ａなどをシート表面に貼り付けて、アンテナ線を見えないようにしてもよい。また、図１８（ｂ）に示すように、ループアンテナ８の脚部１０，１０はデザイン部として利用し、ループ部分のみを紙７ａ等で隠してもよい。さらに、図１８（ｃ）に示すように、脚部１０，１０のみを紙７ａで隠してもよい。
【００８１】
・各実施形態において、図１９に示すように、接続コネクタ１９の接点は、板ばね５２を採用してもよい。
・各実施形態において、アンテナ８は、１枚のアンテナ付きシート４に複数設けられてもよい。
【００８２】
・各実施形態において、電源２５は、交換式の電池でもよいし、コントローラ２３に一体化（固定）された電池でもよい。また、電源２５は、１次電池又は２次電池のいずれでもよい。
【００８３】
・各実施形態において、１つのコントローラ２３に対し、複数のアンテナ（アンテナ付きシート４及びシート取付ユニット５の組）が接続される構造でもよい。
・第２実施形態において、額縁式の場合、シート取付ユニット５は、扉開閉式に限定されない。例えば、シート取付ユニット５を扉部４１がない単なる箱状とし、アンテナ付きシート４を上や横からスライドによって挿し込む方式としてもよい。
【００８４】
・各実施形態において、コネクタ１９の配置位置や配置向きは適宜変更可能である。
・各実施形態において、コネクタ１９は、凹部に嵌め込み取り付けされない取り付け状態をとってもよい。
【００８５】
・各実施形態において、アンテナ付きシート４のアンテナは、ループアンテナに限らず、ダイポール等の他のアンテナとしてもよい。
・各実施形態において、通信端末２は、携帯電話に限定されず、例えば携帯式の小型パーソナルコンピュータやＩＣカード等を採用してもよい。
【００８６】
・各実施形態において、近距離無線通信は、RFIDやNFCに限定されず、他の通信方式（例えばブルートゥース等）を採用してもよい。
・各実施形態において、シート部材は、紙７に限定されず、例えばPET（Polyethylene Terephthalate）等の樹脂としてもよい。
【００８７】
・各実施形態において、アンテナ付きシート４は、可撓性を有する部材に限定されず、例えば木材の板など、他の部材を使用してもよい。
・各実施形態において、ループアンテナ８は、導電性粉末を材料とすることに限定されず、他の素材を使用してもよい。また、ループアンテナ８の印刷方式は、シート部材にアンテナ線を印刷することができれば、例えばエッチング等の種々の印刷方式を使用可能である。
【００８８】
・各実施形態において、シート取付ユニット５は、クリップ式や額縁式に限定されず、アンテナ付きシート４を取り付け可能であれば、どのような形式のものでもよい。
・各実施形態において、コントローラ２３は、シート取付ユニット５と別体であることに限定されず、シート取付ユニット５に一体に組み込むことにより、一部品としてユニット化されてもよい。
【００８９】
・各実施形態において、リーダライタ３は、電車内の広告に使用されることに限定されず、例えば街に設置されたポスター等に適用してもよい。
・各実施形態において、表示部は、印刷物６に限定されず、例えばシートに貼り付けるシール等でもよい。また、表示部は、表示画面を自由に切り換え可能なもの、例えば液晶表示器、電子ペーパ等の電光表示機を用いてもよい。このとき、表示部に表示される画像は、静止画又は動画のどちらでもよい。
【００９０】
・各実施形態において、印刷物６は、宣伝や広告に限定されず、他のデザイン等を広く採用可能である。
・各実施形態において、リーダライタ３は、広告や宣伝の媒体に限らず、他の役務等に広く採用可能である。例えば、コンビニエンスストア等で新製品の表示をするポップや、スーパー等で野菜や生鮮品を宣伝するタグとして使用することも可能である。
【００９１】
・第２実施形態において、図２０に示すように、窓部４６の略全体（一部分でも可）にタッチセンサ（タッチパネル）５３を敷設し、タッチセンサ５３をコントローラ２３に接続しておく。そして、タッチセンサ５３のタッチ操作面を、アンテナ付きシート４の表面にデザインされた各々の目印５４ａ，５４ｂ…ごとに、例えば５５ａ，５５ｂ…と区分けする。そして、目印５４ａ，５４ｂ…を目当てに、タッチセンサ５３の１つの領域をユーザにタッチさせ、その後、ユーザが通信端末２をアンテナ８にかざすことにより、そのタッチ位置に応じた情報を、ループアンテナ８から通信端末２に送信させてもよい。この場合、窓部４６へのタッチ位置に応じて、通信端末２に送信する情報を変えることができる。なお、このとき、通信端末２をタッチセンサ５３（扉部４６）に直接タッチさせてもよい。この場合、タッチ操作位置に応じて通信する情報を切り換えることが可能となるので、通信バリエーションを様々なかたちで増やすことができる。
【００９２】
・各実施形態において、通信端末２を「かざす」とは、通信端末２をアンテナ８に極近傍に近づけることの他に、通信端末２をシート面にタッチ（接触）させることも含む。
・各実施形態において、第１実施形態の思想と第２実施形態の思想とを部分的に適宜組み合わせて応用することも可能である。
【００９３】
次に、上記実施形態及び別例から把握できる技術的思想について、それらの効果とともに以下に追記する。
（イ）請求項１〜６のいずれかにおいて、前記アンテナは、アンテナ線が環状になったループ部を備え、当該ループ部の各々端であるループ端は、ループ端同士が極近傍に配置されている。この構成によれば、アンテナをループに近づけることが可能となるので、アンテナの利得を確保することができる。
【００９４】
（ロ）請求項１〜６、前記技術的思想（イ）のいずれかにおいて、前記アンテナ付きシートには、自身単体ではループをなさないアンテナパターンが設けられ、前記シート取付ユニットには、前記アンテナの一部として機能するアンテナ配線とが設けられ、前記アンテナ付きシートを前記シート取付ユニットに取り付けたとき、前記アンテナパターンと前記アンテナ配線とで、１つのループアンテナが形成される。この構成によれば、アンテナ付きシートには、必ずしもループをなすアンテナを形成する必要がなくなるので、アンテナ付きシートの形状やデザインの自由度が増すことになる。
【００９５】
（ハ）請求項１〜６、前記技術的思想（イ），（ロ）のいずれかにおいて、タッチ操作を検出するタッチ操作検出手段と、前記タッチ操作検出手段にて検出したタッチ位置に応じた信号（情報）を前記アンテナから送信させる信号送信手段とを備えた。この構成によれば、タッチ操作位置に応じてアンテナから送信される信号を切り換えることが可能となるので、１つのアンテナで様々な情報をユーザに提供することができる。なお、タッチセンサ５３がタッチ操作検出手段に相当し、コントローラ２３が信号送信手段に相当する。
【符号の説明】
【００９６】
２…通信端末、３…アンテナ付きシート取換式通信装置としてのリーダライタ、４（４ａ，４ｂ）…アンテナ付きシート、５（５ａ，５ｂ）…シート取付ユニット、６…表示部としての印刷物、７…シート部材としての紙、８…ループアンテナ、９ｂ，９ｃ…紙面上のアンテナを構成するアンテナパターン、１６…固定機構、２３…コントローラ、２４…情報書換手段としての制御部、２８…書込情報を構成するアプリケーション、２９（２９ａ，２９ｂ）…書込情報を構成する通信データ、３２…外部記録媒体、４７…位置決め機構。
【図１】
2013015901.tif 000003
【図２】
2013015901.tif 000004
【図３】
2013015901.tif 000005
【図４】
2013015901.tif 000006
【図５】
2013015901.tif 000007
【図６】
2013015901.tif 000008
【図７】
2013015901.tif 000009
【図８】
2013015901.tif 000010
【図９】
2013015901.tif 000011
【図１０】
2013015901.tif 000012
【図１１】
2013015901.tif 000013
【図１２】
2013015901.tif 000014
【図１３】
2013015901.tif 000015
【図１４】
2013015901.tif 000016
【図１５】
2013015901.tif 000017
【図１６】
2013015901.tif 000018
【図１７】
2013015901.tif 000019
【図１８】
2013015901.tif 000020
【図１９】
2013015901.tif 000021
【図２０】
2013015901.tif 000022